(57)【要約】【課題】  袋本体の開口部を容易かつ正確に閉塞できると共に開口部を閉塞した状態で袋全体の大きさサイズを調節することができ、さらに免税店用として使用できるプラスチック製包装用袋を提供する。【解決手段】  プラスチックシート１１により製造され一端に開口部１２が形成された袋本体１０と、上面に粘着剤２１が塗布され、そして該粘着剤上に剥離テープ２２が被覆された突出部であって、袋本体の一方側シートを開口部から延伸して連続形成された突出部２０と、前記突出部と略同一サイズで該突出部に対向して形成され、袋本体の他方側シートを開口部から延伸して連続形成された舌片部３０と、を備え、袋本体に物品を収容し、剥離テープを剥がして突出部を舌片部に貼付して開口部を閉塞するように構成されたプラスチック製包装用袋である。【選択図】  図１
0003193587.tif 000002
【実用新案登録請求の範囲】
【請求項１】
プラスチックシートにより製造され一端に開口部が形成された袋本体と、
上面に粘着剤が塗布され、そして該粘着剤上に剥離テープが被覆された突出部であって、袋本体の一方側シートを開口部から延伸して連続形成された突出部と、
前記突出部と略同一サイズで該突出部に対向して形成され、袋本体の他方側シートを開口部から延伸して連続形成された舌片部と、を備え、
袋本体に物品を収容し、剥離テープを剥がして突出部を舌片部に貼付して開口部を閉塞することを特徴とするプラスチック製包装用袋。
【請求項２】
プラスチックシートにより製造され一端に開口部が形成された袋本体と、
上面に粘着剤が塗布され、そして該粘着剤上に剥離テープが被覆された突出部であって、袋本体の一方側シートを開口部から延伸して連続形成された突出部と、
縦幅サイズが横幅方向の全長に亘って前記突出部の縦幅サイズの略１／２で、該突出部に対向して形成された舌片部であって、袋本体の他方側シートを開口部から延伸して連続形成された舌片部と、を備え、
袋本体に物品を収容し、剥離テープを剥がして突出部における開口部側の略１／２サイズの縦幅部分を前記舌片部に貼付して開口部を閉塞し、そして突出部を袋本体側に折り返し、突出部における端部側の略１／２サイズの縦幅部分を袋本体の任意の部位に貼付して袋全体の大きさサイズを調節することを特徴とするプラスチック製包装用袋。
【請求項３】
前記プラスチックシートが、ポリエチレン、ポリプロピレン、ポリエステル、ポリ乳酸、ポリアミド、ポリカーボート、ポリ塩化ビニル、芳香族ビニル化合物重合体、ガスバリヤー性樹脂のいずれか単独またはこれらの混合物を素材とするものであって、所定の強度を持ち、袋本体に収納された物品が視認できる透明性を有することを特徴とする請求項１または２のいずれかに記載のプラスチック製包装用袋。
【請求項４】
前記突出部が、物品を収容して封止された後に開封された場合において開封の事実を確認できる表示を出現させるように構成されたことを特徴とする請求項１〜３のいずれかに記載のプラスチック製包装用袋。
【請求項５】
袋本体の適宜部位に小孔を設けたことを特徴とする請求項１〜４のいずれかに記載のプラスチック製包装用袋。
【請求項６】
前記剥離テープの横幅方向端部に突出部から突き出るはみ出し部を形成したことを特徴とする請求項１〜５のいずれかに記載のプラスチック製包装用袋。
【考案の詳細な説明】
【技術分野】
【０００１】
本考案は、衣類、小物、雑貨等の包装用として使用される包装用袋に関し、特に、袋本体の開口部を容易かつ正確に閉塞できると共に開口部を閉塞した状態で袋全体の大きさサイズを調節することができ、さらに免税店用として使用できるプラスチック製包装用袋に関する。
【背景技術】
【０００２】
従来、郵便、宅配便等の主に配送用封筒における封止構造がブラスチック製包装用袋においても用いられており、袋本体に物品収容のための開口部（開放部）を形成し、開口部分から延伸した突出部に粘着剤を塗布しその上に剥離テープを被覆して、突出部を袋本体側に折り曲げ開口部付近に剥離テープを剥がし粘着層を介して重ね合せて接着することにより開放部を閉塞するように構成された封筒タイプのプラスチック製袋が広く使用されている。
【０００３】
また、外国人旅行者のショッピングにおける魅力を向上させ日本における旅行消費を増加させるために、平成２６年１０月から外国人旅行者向け消費税免税制度が改正され、現在免税対象となっている家電、装飾品、衣類、靴、かばん等のほか、現在免税対象から除外されている食品類、飲料類、たばこ、薬品類及び化粧品類等も含め全ての品目が免税対象となる。新規免税対象品目は、旅行中に消費されないように店舗にて定められた方法で包装することとなり、日本国内での消費を阻止するために、出国までに破損しない十分な強度を有するプラスチック製であること、内容物の品名や個数が確認できる程度の無色透明又はほとんど無色透明であること及び開封したことが分かるシールで封印することが包装用袋の条件とされている。
【０００４】
プラスチック製袋の封止（シール）部に関する先行技術文献として特許文献１〜３が存在する。特許文献１には、封止縁や接着面に開封の痕跡がなくても荷送人から荷受人に渡るまでの間に封筒が開封されたときにはその事実を容易に識別し得る封筒が開示され、特許文献２には、透明封筒に接着されている封止片の剥がす位置や方向を明確に表示することにより開封部分が容易に視認しやすくなる透明封筒の封止構造が開示されている。特許文献３には、保管物品に不正な行為がなされた場合に外観上一目で判別することができ、不正な行為を抑止するようにした開封判別機能付き収容体が開示されており、ここでは、物品を挿入するための開口部或いは開口部付近に粘着層を介して重ね合せるようにして封止される封止部を有し、封止後の開封行為によって少なくとも一部が封止部の一方側から分離されることで、開封表示を外側から目視可能に表示するようになっている開封判別用積層体が設けられている。
【０００５】
上記先行文献における封止部の構造は、図３に示すように、袋本体１０の一方側シートに開口部分１２から延伸して形成された突出部２０が形成されており（図Ａ、Ｂ）、その上面に粘着剤２１が塗布され、粘着剤上に剥離テープ２２が被覆されている（図Ｂ）。物品を収容した後、剥離テープを剥がし、矢印Ａ１のように突出部を開口部分に沿って袋本体側に折り曲げて突出部を開口部付近の袋本体に貼付することにより開口部が閉塞される（図Ｃ）ように構成されている。なお、前記特許文献３では開封判別用積層体２３が粘着剤の下面に設けられている。ここで開口部を閉塞するためには折り曲げ及び両者の貼り合せ操作は正確になされる必要がある。折り目が形成できる紙製袋等であれば予め折り目をつけてそれに沿って折り曲げればよいが、特に店舗で使用する場合など急を要する場合等は正確な折り曲げ及び両者の貼り合せ操作には困難性が伴う。
【０００６】
また、袋内部に収容する物品が小さいサイズや衣類等であるときは袋の大きさサイズを調節すると持ち運びやバッグへの収納にとって都合がよい。これに対応するため、矢印Ａ２のように突出部を袋本体側に大きく折り返して袋本体の適宜部位に貼り付ける（図Ｄ）場合がある。この場合、図（Ｄ）に示すように開口部１２は閉塞されずに依然として開口部は開放されている。そのため当該開放部から収納物が飛び出たり、或いは折り返した両袋部の隙間から手を差し入れて開口部から物品を取り出すことが可能となる。特に免税店で購入した物品は日本国内で消費されるおそれが生じ問題となる。袋の封止操作を行う店舗、特に免税店にあっては大量の客に急いで対応するために貼り間違えが生じやすく確実な封止操作ができない場合がある。
【先行技術文献】
【特許文献】
【０００７】
【特許文献１】実開平２−８７３８号公報
【特許文献２】実用新案登録第３１４８６３０号公報
【特許文献３】特開２００３−２５２３４３号公報
【考案の概要】
【考案が解決しようとする課題】
【０００８】
本考案は、袋本体の開口部を容易かつ正確に閉塞できると共に開口部を閉塞した状態で袋全体の大きさサイズを調節することができ、さらに免税店用として使用できるプラスチック製包装用袋を提供することを課題とする。
【課題を解決するための手段】
【０００９】
請求項１に記載の考案は、プラスチックシート１１により製造され一端に開口部１２が形成された袋本体１０と、上面に粘着剤２１が塗布され、そして該粘着剤上に剥離テープ２２が被覆された突出部であって、袋本体の一方側シートを開口部から延伸して連続形成された突出部２０と、前記突出部と略同一サイズで該突出部に対向して形成され、袋本体の他方側シートを開口部から延伸して連続形成された舌片部３０と、を備え、袋本体に物品を収容し、剥離テープを剥がして突出部を舌片部に貼付して開口部を閉塞するように構成されたプラスチック製包装用袋であることを特徴とする。
【００１０】
請求項２に記載の考案は、プラスチックシート１１により製造され一端に開口部１２が形成された袋本体１０と、上面に粘着剤２１が塗布され、そして該粘着剤上に剥離テープ２２が被覆された突出部であって、袋本体の一方側シートを開口部から延伸して連続形成された突出部２０と、縦幅サイズＬ２が横幅方向Ｗの全長に亘って前記突出部の縦幅サイズＬ１の略１／２で、該突出部に対向して形成された舌片部であって、袋本体の他方側シートを開口部から延伸して連続形成された舌片部４０と、を備え、袋本体に物品を収容し、剥離テープを剥がして突出部における開口部側の略１／２サイズの縦幅部分Ｌ１１を前記舌片部に貼付して開口部を閉塞し、そして突出部を袋本体側に折り返し、突出部における端部側の略１／２サイズの縦幅部分Ｌ１２を袋本体の任意の部位に貼付して袋全体の大きさサイズを調節するように構成されたプラスチック製包装用袋であることを特徴とする。
【００１１】
請求項３に記載の考案は、請求項１または２のいずれかに記載のプラスチック製包装用袋において、前記プラスチックシートが、ポリエチレン、ポリプロピレン、ポリエステル、ポリ乳酸、ポリアミド、ポリカーボート、ポリ塩化ビニル、芳香族ビニル化合物重合体、ガスバリヤー性樹脂のいずれか単独またはこれらの混合物を素材とするものであって、所定の強度を持ち、袋本体に収納された物品が視認できる透明性を有することを特徴とする。
【００１２】
請求項４に記載の考案は、請求項１〜３のいずれかに記載のプラスチック製包装用袋において、前記突出部が、物品を収容して封止された後に開封された場合において開封の事実を確認できる表示、例えば文字、模様、記号等を出現させるように構成されたことを特徴とする。
【００１３】
請求項５に記載の考案は、袋本体の適宜部位に小孔を設けたことを特徴とし、請求項６に記載の考案は、剥離テープの横幅方向端部ＷＥに突出部から突き出るはみ出し部５０を形成したことを特徴とするプラスチック製包装用袋である。
【考案の効果】
【００１４】
本考案では、袋本体の一方側シートの突出部と同様に、袋本体の開口部から切り落とさずに舌片部を開口部から他方側シートを延伸して連続形成し、物品を収容した後突出部の剥離テープを剥がして突出部と舌片部とを重ね合せながら貼り合せて開口部を閉塞するように構成される。また舌片部は突出部と略同一サイズで突出部に対向して形成されているので、両者の貼り合せ操作は概ね正確に実行することができる。
【００１５】
また、本考案においては、袋の大きさサイズを調節するために突出部を袋本体側に大きく折り返して袋本体の適宜部位に貼り付ける場合にあっても、突出部の開口部側の縦幅半分面が舌片部に貼り合わされて開口部が閉塞されており、突出部の端部側の残り半分面を袋本体の適宜部位に貼り付けても開口部は閉塞されているので物品の飛び出しは発生せず、物品の取り出しが不可能となる。
【００１６】
本考案に係るプラスチックシートの素材はポリエチレン、ポリプロピレン等またはこれらの混合物であり、所定の強度を持ち、袋本体に収納された物品が視認できる透明性を有し、かつ突出部が物品を収容して封止された後に開封された場合において開封の事実を確認できる表示を出現させるように構成されている。そのため、免税店用の包装用袋に求められる要件である、出国までに破損しない十分な強度を有し内容物の品名や個数が確認できる程度の無色透明であるプラスチック製であること、開封した場合に開封したことが分かるシールで封印することをクリアする。したがって、本考案に係る袋は免税店用の包装用袋として好適に用いられるものとなっている。
【００１７】
そして、本考案においては袋本体の適宜部位に小孔を設けているので、袋内部に溜まる空気の放出（エアー抜き）が可能となり物品収容後の無用な膨らみ等を防止でき綺麗な包装を可能とする。また小孔は農産物の鮮度維持のために役立つ。本考案に係る剥離テープにはその横幅方向端部に突出部からはみ出るように、指で摘まめる程度の幅のはみ出し部を形成しているので、剥離テープの剥ぎ取り操作を容易にする。
【図面の簡単な説明】
【００１８】
【図１】本考案に係るプラスチック製包装用袋の第１の実施形態の構成例を説明するための図であり、（Ａ）は斜視図、（Ｂ）は図（Ａ）のＡ−Ａ断面部分拡大図、（Ｃ）は突出部が舌片部に貼付された状態を示す部分拡大断面図、（Ｄ）は物品を袋本体に収容して封止された後に開封された場合に開封の事実を確認できる文字「ＡＶＯＩＤ」が突出部に出現した状態を示す斜視図である。
【図２】本考案に係るプラスチック製包装用袋の第２の実施形態の構成例を説明するための図であり、（Ａ）は斜視図、（Ｂ）は図（Ａ）のＡ−Ａ断面部分拡大図、（Ｃ）は突出部の略１／２の縦幅サイズ部分が舌片部に貼付された状態を示す部分拡大断面図、（Ｄ）は突出部が袋本体側に折り返され突出部の残り略１／２縦幅サイズ部分が袋本体の底辺部側に貼付された状態を示す部分拡大断面図、（Ｅ）は物品を袋本体に収容して封止された後に開封された場合に開封の事実を確認できる文字「ＡＶＯＩＤ」が突出部に出現した状態を示す斜視図である。
【図３】周知技術に係るプラスチック製包装用袋を説明するための図であり、（Ａ）は斜視図、（Ｂ）は図（Ａ）のＡ−Ａ断面部分拡大図、（Ｃ）は突出部が折り曲げられ袋本体に貼付された状態を示す部分拡大断面図、（Ｄ）は突出部が袋本体側に折り返され袋本体の底辺部側に貼付された状態を示す部分拡大断面図である。
【考案を実施するための形態】
【００１９】
本考案に係るプラスチック製包装用袋の実施の形態の説明に先立ちプラスチック製包装用袋の製造について説明する。１枚のブランクシートから切り出された長方形状のシートを、折曲部に沿って折り返し２枚のシートとし折曲部に袋部の底辺を形成し、両シートが重なり合う先端部を開放して開口部とし、開口部までの両横辺部同士を融着して袋状を形成する。そして、両シートを開放部から先方を切り落とさずに、２枚のシートを同一長さ又は長短の差を付けて所定長さ残して突出部と舌片部を形成する。突出部と舌片部の形成に当たっては、突出部と舌片部の先端に至る長さまで両シートの両横辺部同士を融着した後に突出部と舌片部の長さ分だけ融着部分を切り離す、または突出部と舌片部の長さ分は両横辺部同士の融着は行わない。
【００２０】
以下、添付図を参照しつつ本考案に係るプラスチック製包装用袋の実施の形態について説明する。図１は本考案に係るプラスチック製包装用袋（以下、単に「本包装用袋」という）の第１の実施の形態の構成例を説明するための図である。図に示すように、第１の実施形態の本包装用袋は、プラスチックシート１１で製造される袋であり、一端に開口部１２を形成した袋本体１０、開口部から袋本体の一方側のシートを延伸して連続形成した突出部２０及び他方側のシートを開口部から延伸して連続形成した舌片部３０により構成されている。特に図１（Ｂ）、（Ｃ）に示すように、突出部２０には上面に粘着剤２１が塗布され、該粘着剤の上に剥離テープ２２が被覆されており、舌片部３０は突出部と略同一サイズで該突出部に対向して形成されている。なお、図１（Ｂ）、（Ｃ）には、後述する開封判別用積層体２３が粘着剤２１の下面に設けられている。
【００２１】
袋本体に物品を収容した後、図１（Ｃ）に示すように剥離テープ２２を剥がして舌片部３０を突出部２０に重ね合せるようにして両者を貼り合せることにより開口部１２が閉塞される。舌片部は突出部と略同一サイズで突出部に対向して形成されているので、両者の貼り合せ操作は簡単になされると共に貼り合せを概ね正確に行うことができる。なお、図では、突出部２０及び舌片部３０の形状を台形状としているが、これらの形状はこれに限定されるものではなく、長方形状、湾曲状等とすることができる。
【００２２】
次に、本包装用袋の第２の実施の形態について説明する。図２は本包装用袋の第２の実施形態の構成例を説明するための図である。図に示すように、第２の実施形態の本包装用袋は、袋本体１０及び突出部２０は前記第１の実施形態に係る構成と同様に形成され、突出部２０は上面に粘着剤２１が塗布され、該粘着剤上には剥離テープ２２が被覆されている。舌片部４０は、図２（Ａ）、（Ｂ）、（Ｃ）に示すように他方側のシートを開口部から延伸して連続形成され突出部２０に対向して形成されており、特に図２（Ａ）に示すように舌片部４０の縦幅サイズＬ２は、横幅方向Ｗの全長に亘って、突出部の縦幅サイズＬ１の略１／２サイズで形成されている。
【００２３】
第２の実施形態の本包装用袋においては、袋本体に物品を収容した後、図２（Ｃ）に示すように、剥離テープ２２を剥がして、突出部２０における開口部側の略１／２サイズの縦幅部分Ｌ１１を、舌片部４０と重ね合せるようにして貼り合せる。これにより開口部１２が閉塞される。そして、矢印Ａ２のように突出部を袋本体側に大きく折り返し、突出部における端部側の略１／２サイズの縦幅部分Ｌ１２を袋本体１０の任意の部位に貼付して袋全体の大きさサイズを調節することができる（図（Ｄ）参照）。なお、ここでは突出部における舌片部と袋本体に貼り付ける部分のサイズを略１／２としているが、貼り付け部分の割合はこれに限定されるものではなく１／３と２／３、１／４と３／４等とすることができる。
【００２４】
突出部を袋本体側に大きく折り返して袋本体の適宜部位に貼り付けることにより袋の大きさサイズを調節する場合でも、図２（Ｄ）に示すように、突出部２０における開口部側の縦幅部分Ｌ１１が舌片部４０に貼付されているため開口部１２は閉塞されており、突出部における縦幅部分Ｌ１２を袋本体の任意部位に貼付しても開口部が閉塞されているので物品の飛び出しは発生せず、物品の取り出しが不可能となる。
【００２５】
なお、第２の実施形態の本包装用袋における剥離テープ２２は突出部の粘着層前面を被覆する１枚のテープとしているが、剥離テープを舌片部４０の縦幅サイズと残り略１／２サイズとに２分割した２枚のテープとすることができる。このように剥離テープを２分割構成とすることによって、開口部閉塞のための貼付けの際に剥がす部分と、袋全体の大きさサイズを調節する際に剥がす部分とが別々に剥離操作されるために、それぞれの貼付け操作を混同することなく確実性をもって行うことができる。一方、剥離テープを２分割するための製造工程が追加され複雑となり、また店舗側では２度の剥離テープの剥離操作が必要となり煩雑となる。
【００２６】
本考案に係るプラスチックシートは、ポリエチレン等の単独またはこれらの混合物を素材とするものであり、所定の強度を持ち、袋本体に収納された物品が視認できる透明性を有する。本考案で用いられる熱可塑性樹脂（プラスチックシート）は、溶融、成形でき、所定の強度を持ち内容物が視認できる透明性を有するものならなんでもよく、特に限定されるものではない。具体的には、ポリエチレン、ポリプロピレン、ポリエステル、ポリ乳酸、ポリアミド、ポリカーボート、ポリ塩化ビニル、芳香族ビニル化合物重合体、ガスバリヤー性樹脂等の単独もしくはこれらの混合物材料、及びこれらの材料を多層に組み合わせた成形品、更には相互に接着するための熱可塑性樹脂材料をも含む。
【００２７】
ここでの視認性とは包装対象商品とフィルムが接触した状態での視認性を指しており一般的にはコンタクトヘイズと斯界では認識されている。通常のフィルムで透明性の基準として定められてはいないが、内容物とフィルムの間に距離があっても視認される曇度（ヘイズ）としては３０％以下、好ましくは１０％以下であれば鮮明に視認することができる。一方、内容物とフィルムが接触している場合において、フィルムヘイズが６０％であっても視認は可能である。
【００２８】
ポリエチレンには密度が０，９０５以上０，９３５未満である高圧法ラジカル重合ポリエチレンや直鎖状低密度ポリエチレン、密度が０．８５以上０．９０５未満の直鎖状超低密度ポリエチレン、０，９３５以上０．９７０未満の直鎖状高密度ポリエチレンであり、これらの単独、混合物であっても構わない。高圧法ラジカル重合ポリエチレンは包装体の代表的成形法であるインフレーション成形においてはバブルの安定性に優れ、Ｔダイ押出成形においてはネックインが少ないこと、及びその他品質のバランスが良好であることから幅広く使用されている。後述の直鎖状低密度ポリエチレンのインフレーション等の成形性改良に高圧法ポリエチレンが混合されて使用することが多い。高圧法ラジカル重合ポリエチレンにはエチレン単独の重合体の外にポリエチレン酢酸ビニル、エチレン・メタアクリル酸共重合体及びエチレン・メタアクリル酸共重合体アイオノマーが含まれる。
【００２９】
直鎖状高密度ポリエチレンは特に防湿性及び強度に優れた包装材料として有用である。中低圧法チーグラー触媒により重合されるエチレンの単独重合体およびエチレンと炭素数３以上のα―オレフィンの共重合体であり、密度の範囲で少量のαーオレフィンが使用される。一般的にはプロピレン、１―ブテンが多く利用されている。高密度ポリエチレンを単独もしくは他の材料との多層体として包装体を形成する場合において内容物視認性確保には高密度ポリエチレン層の厚みは１００ミクロン未満、好ましくは５０ミクロン未満、更に好ましくは２０ミクロン未満が好ましい。
【００３０】
直鎖状低密度ポリエチレン及び直鎖状超低密度ポリエチレンは低温ヒートシール強度、ホットタック性、衝撃強度、突き刺し強度、透明性、防湿性に優れることから包装材料として多く利用されている。中低圧法チーグラー触媒またはメタロセン触媒を代表とするシングルサイト触媒によりエチレンと炭素数３以上のα−オレフィンとの共重合体される。α―オレフィンとしては、プロピレン、１−ブテン、４−メチル−１−ペンテン、１−ヘキセン、１−ヘプテン、１−オクテンなど炭素数３〜１０のα−オレフィンが一般的に利用されている。
【００３１】
ポリプロピレンは防湿性、透明性、フィルム剛性に優れインフレーション法、Ｔダイ押出法、２軸延伸法などの成形により包装体成形に利用されている。中低圧法チーグラー触媒やメタロセン触媒を代表とするシングルサイト触媒によりプロピレンの単独重合体、炭素数２〜１０のαーオレフィンとのランダム共重合、ブロック共重合体および複数のα―オレフィンとの多元系共重合体（ターポリマー）を挙げることができる。α―オレフィンとしてはエチレン、１-ブテン、１−ヘキセン、４−メチルペンテン−１等のαーオレフィンが利用されている。共重合体の形態はランダム共重合体でもブロック共重合体であっても構わないが、例えばエチレン単位が連続して分子内に存在するブロック共重合体の場合は、その結晶性のために透明性が損なうことがあるので、その場合には高密度ポリエチレン同様のフィルム厚みが推奨される。
【００３２】
ポリエステルとしては、例えば、ジカルボン酸又はその低級アルキルエステル、酸ハライド、酸無水物等の誘導体と、グリコール又は二価フェノールとを縮合させて得られる熱可塑性ポリエステルが挙げられる。ポリエステルの中でも、ポリエチレンテレフタレート（ＰＥＴ）、ポリブチレンテレフタレート（ＰＢＴ）、ポリナフタレンテレフタレート（ＰＥＮ）、ポリ（１，４−シクロヘキサンジメチレンテレフタレート）（ＰＣＴ）又は液晶性ポリエステル等が、本発明に好適なポリエステルである。インフレーション成形がこの中では良好なＰＢＴ就中ソフトＰＢＴと称される共重合ＰＢＴが突き刺し強度も優れることから本考案用には好適である。
【００３３】
ソフトＰＢＴは１、４ーブタンジオール以外のジオール成分としては、具体的には、例えば、エチレングリコール、ジエチレングリコール、ポリエチレングリコール、プロピレングリコール、１，３−プロパンジオール、ポリテトラメチレングリコール、１，５−ペンタンジオール、ネオペンチルグリコール、１，６−ヘキサンジオール、１，８−オクタンジオール等の脂肪族ジオール、１，２−シクロヘキサンジオール、１，４−シクロヘキサンジオール、１，１−シクロヘキサンジメチロール、１，４−シクロヘキサンジメチロール等の脂環式ジオール、キシリレングリコール、４，４’−ジヒドロキシビフェニル、２，２−ビス（４’−ヒドロキシフェニル）プロパン、ビス（４−ヒドロキシフェニル）スルホン等の芳香族ジオール等が挙げられる。
【００３４】
ポリアミドとは、主鎖に−ＣＯＮＨ−結合を有する熱可塑性重合体である。その代表的なものとしては、ナイロン−４、ナイロン−６、ナイロン−６，６、ナイロン−４，６、ナイロン−１２、ナイロン−６，１０がある。その他、公知の芳香族ジアミン、芳香族ジカルボン酸等のモノマー成分を含む結晶性又は非晶性のポリアミドでもよい。ここでいう非晶性ポリアミドとは、示査走査熱量計（ＤＳＣ）により測定した結晶化度が実質的に存在しないものをいう。 好ましいポリアミドは、ナイロン−６、ナイロン−６，６、半芳香族ナイロンでありこれらと非晶性ポリアミドを併用することも好ましい。非晶性ポリアミドは透明性が高く、ガスバリヤー性能も備えていることから単独もしくは他材料との多層に利用される。
【００３５】
ポリカーボネートは、芳香族ポリカーボネート、脂肪族ポリカーボネート、芳香族−脂肪族ポリカーボネートを用いることができるが、芳香族ポリカーボネートが好ましい。芳香族ポリカーボネートは、芳香族ヒドロキシ化合物又はこれと少量のポリヒドロキシ化合物を、ホスゲン又は炭酸のジエステルと反応させることによって得られる。
【００３６】
ポリ乳酸は、Ｌ−乳酸またはＤ―乳酸のみからなるホモポリマー、Ｌ−乳酸とＤ−乳酸の共重合体、あるいは一般的にステレオコンプレックスと呼ばれる重合体などのいずれを用いてもよいし、それらを混合して使用してもよい。ポリ乳酸中のＬ−乳酸／Ｄ−乳酸の含有比率は特に限定されず使用することができる。ポリ乳酸の製造方法としては、Ｌ−乳酸、Ｄ−乳酸、ＤＬ−乳酸（ラセミ体）を原料として、いったん環状２量体であるラクチドを合成し、その後開環重合を行う２段階のラクチド法や、当該原料を直接脱水縮合で行う一段階の直接重合法が知られている。本考案において用いられるポリ乳酸はいずれの製法によって得られたものであってもよい。なお、このポリ乳酸に可塑剤、核剤等が適宜混合しても良い。
【００３７】
芳香族ビニル化合物重合体とは、ポリスチレン、ゴム強化ポリスチレン、スチレン−アクリロニトリル共重合体、アクリロニトリルーブタジエンースチレン共重合体、スチレン−無水マレイン酸共重合体、スチレン−マレイミド共重合体等が一般的であるが、透明性を確保し、柔軟性と耐衝撃強度を要する本考案において好ましいのは、スチレン系モノマーと（メタ）アクリル酸エステル系モノマーとからなる共重合体の連続相中に、ゴム状弾性体を分散させた透明ゴム状弾性体分散ポリスチレン系樹脂であり、スチレン系モノマーとして、スチレン、α−スチレン、ｐ−メチルスチレン等を用いることができる。（メタ）アクリル酸エステルモノマーとして、メチル（メタ）アクリレート、ブチル（メタ）アクリレート、２−エチルヘキシル（メタ）アクリレート、ラウリル（メタ）アクリレート、ステアリル（メタ）アクリレート等を用いることができる。スチレン系モノマーと（メタ）アクリル酸エステル系モノマーとの比率は、共重合体の連続相の屈折率が、分散させたゴム状弾性体の屈折率と近似するように選択される。透明アクリロニトリルーブタジエンースチレン共重合体も当該対象に含まれる。
【００３８】
本考案で用いられるガスバリヤー性樹脂とは酸素、炭酸ガス等の水分以外のガス透過を抑制する材料であり代表的には単独でフィルムとしての性能があるエチレン・ビニルアルコール共重合体やポリ塩化ビニリデン、塩化ビニリデン系共重合体があり塩化ビニリデンとアクリル酸、アクリル酸エステル、アクリロニトリル、塩化ビニル、メタクリル酸、メタクリル酸エステル等との共重合体であり、塩化ビニリデンを９０モル％以上共重合したものが相当する。
【００３９】
また、ポリエステルフィルムや、ポリアミドフィルムに塩化ビニリデン系共重合体を塗布したフィルムも含まれる。及びポリグルコール酸やエチレン・一酸化炭素共重合体を多層化しても同様の目的は達することができる。従来のガスバリヤー層としてアルミ蒸着に代わってシリカを真空蒸着させることで内容物視認性と多くのガスバリヤーが成立する成形体も出現しているが、この成形体に更に上記直鎖低密度ポリエチレン、直鎖超低密度ポリエチレンをシーラントとして用いた包装体は視認性、金属探知など多くの利便性があることから本考案において対象となる。
【００４０】
上記熱可塑性樹脂を多層化にする際には、相互の樹脂の分子構造に対応した適切な接着性樹熱可塑性樹脂が選択される。代表的にはポリオレインに不飽和二重結合を有するモノマー例えば、アクリル酸、メタクリル酸、グリシジルメタクリル酸などのカルボン酸及びそのエステル、マレイン酸、フマール酸、リンゴ酸などの酸及びその無水物を過酸化物、電子線照射等によりグラフト反応させた官能化変性ポリオレフィンは種々の多層材料組み合わせに利用される。代表的にはポリオレフィン（シーラント）／官能化変性ポリオレフィン／エチレン・ビニルアルコール共重合体／官能化変性ポリオレフィン／ポリオレフィン系など例証される。
【００４１】
その他の成分としては、視認性が確保できる範囲で包装体の剛性、燃焼カロリー対策及び意匠性などを考慮して無機フィラーが配合されていても良い。具体的には、酸化チタン、酸化亜鉛、硫酸バリウム、シリカ、炭酸カルシウム、酸化鉄、アルミナ、チタン酸カルシウム、水酸化アルミニウム、水酸化マグネシウム、炭酸カルシウム、炭酸マグネシウム、硫酸カルシウム、硫酸ナトリウム、亜硫酸カルシウム、珪酸カルシウム、クレー、ワラストナイト（メタケイ酸カルシウム）、ガラスビーズなどである。更に、これら無機フィラーを分散させるための界面処理剤（カップリング剤）及び脂肪族金属塩などの分散剤が併用されることも含まれる。なお、包装体の製造時の安定性のための酸化防止剤、使用時の劣化防止や作業性改善のための酸化防止剤、光安定剤、熱安定剤、紫外線吸収剤、滑剤、ブロッキング防止剤及び商品価値向上のための帯電防止剤、顔料、染料などを混合してもよい。
【００４２】
本考案に係るプラスチック製包装用袋は、図１（Ｄ）、図２（Ｅ）に示すように、物品を収容して袋が封止された後に袋が開封された場合に、開封の事実を確認できる表示、例えば文字、模様、記号等が浮き出る（出現する）ように構成されている。これは外国人旅行者が免税店で購入した免税物品を日本国内で消費することを阻止抑制するための構成であり、図では「ＡＶＯＩＤ」の文字を出現させているが、出現する文字は外国人に理解されるようなワード、例えば「ＯＰＥＮＥＤ」、「ＯＰＥＮ  ＶＯＩＤ」等の文字であればよく特に限定されるものではない。また、免税店用の包装用袋には出国まで開封しないこと等を日本語及び外国語で注意喚起することが必要となる。
【００４３】
本考案においては、開封の事実を確認できる表示を出現させる構成として、特許文献３に開示されるような基材、マーキング層、固着インク層、粘膜層、粘着層からなる開封判別用積層体を備え、開封操作によって開封判別用積層体に内部破壊を生じさせて開封表示が出現させるような構成、その他広く使用されている公知技術を使用することができる。本考案においては、図１（Ｂ）、（Ｃ）及び図２（Ｂ）、（Ｃ）、（Ｄ）に示すように、粘着剤２１の下面に開封判別用積層体２３を設けている。
【００４４】
前述したように本包装用袋を所定の強度を持ち、袋本体に収納された物品が視認できる透明性を有するプラスチック製とし、封止後の開封の事実を確認できる表示を出現させる構成とし、また袋本体に農産物の鮮度維持のために必要な小孔を設ける構成とすることによって、本考案に係るプラスチック製包装用袋は免税店用の包装用袋として好適に用いられるものである。
【００４５】
本考案に係るプラスチック製包装用袋の袋本体１０には、内部に溜まる空気の放出（エアー抜き孔）ができる程度の小孔または農産物の鮮度維持のために必要な小孔を、適宜部位に必要な個数設けることができる。これにより物品収容後の無用な膨らみ等を防止でき綺麗な包装を可能とし、また農産物の鮮度維持が可能となる。
【００４６】
本考案に係るプラスチック製包装用袋の剥離テープ２２には、図１（Ａ）及び図２（Ａ）に示すように、横幅方向Ｗの端部ＷＥに突出部から突き出るはみ出し部５０を形成することができる。剥離テープの横幅方向端部に突出部からはみ出るように、指で摘まめる程度のはみ出し部を形成することができる。これにより剥離テープの剥ぎ取り操作を容易にする。はみ出し部の形状は長方形状、台形状、半円形状等各種形状とすることができ、はみ出し部は剥離テープの一方の端部のみに形成してもよく、両端に形成してもよい。
【００４７】
また、本考案においては、持ち運びの便宜を考慮して、手で握ることができる部分、例えば指が挿入できる程度の穴が形成された構成を袋本体の適宜部位に設けることができる。本考案においては、例えば免税店で購入した物品を他の店舗で購入した袋に入れ替える等の免税店における不正行為を防止するために、包装された袋にナンバリング、バーコード、ＩＣタグを付して包装袋の同一性管理を行う等の手段を講じることができる。
【産業上の利用可能性】
【００４８】
本考案に係るプラスチック製包装用袋は突出部と舌片部とを重ね合せながら貼り合せるので袋本体の開放部を容易かつ正確に閉塞できる。また本考案では、突出部の縦幅半分面が舌片部に貼り合わされて開口部が閉塞されているので開放部を閉塞した状態で袋全体の大きさサイズを調節することができる。さらに、本考案に係るプラスチック製包装用袋は、収納された物品が視認できる透明性を有し、封止後の開封の事実を確認できる表示を出現させる構成としているので免税店用の包装用袋として好適に使用できる。
【符号の説明】
【００４９】
１０    袋本体
１１    プラスチックシート
１２    開口部
２０    突出部
２１    粘着剤
２２    剥離テープ
２３    開封判別用積層体
３０、４０    舌片部
５０    はみ出し部
Ｌ１    突出部の縦幅サイズ
Ｌ２    舌片部の縦幅サイズ
Ｌ１１    突出部の開口部側略１／２サイズの縦幅部分
Ｌ１２    突出部の端部側略１／２サイズの縦幅部分
Ｗ      横幅方向
ＷＥ    剥離テープの横幅方向端部
【図１】
0003193587.tif 000003
【図２】
0003193587.tif 000004
【図３】
0003193587.tif 000005